(57)【要約】【課題】住人が寛げる居住空間を有する住宅構造を提供する。【解決手段】住宅（１）は、家屋床面（２）と、低位置床面（３）とを備えている。家屋床面（２）は、たとえば１階部分の通常の床の高さを有する床面であり、１階の基準床面である。低位置床面（３）は、家屋床面（２）に隣接し、家屋床面（２）よりも低い位置で居住空間（３０）を形成している。低位置床面（３）の面積はたとえば２畳以上であり、家屋床面（２）と低位置床面（３）との高低差は、たとえば２５ｃｍ〜４５ｃｍの範囲内で定められる。【選択図】図１
2014190029.tif 000002
【特許請求の範囲】
【請求項１】
家屋床面と、
前記家屋床面に隣接し、前記家屋床面よりも低い位置で居住空間を形成するための低位置床面とを備える、住宅構造。
【請求項２】
前記低位置床面の周囲を取り囲むように、前記家屋床面が設けられる、請求項１に記載の住宅構造。
【請求項３】
屋内と屋外とを仕切る仕切り面が、前記低位置床面の縁部に沿って設けられ、
前記仕切り面は、その下縁が前記家屋床面の高さに位置する窓を有している、請求項１に記載の住宅構造。
【請求項４】
前記仕切り面の屋外側には、テラス部が設けられている、請求項３に記載の住宅構造。
【請求項５】
前記家屋床面と前記低位置床面との高低差は、２５ｃｍ〜４５ｃｍの範囲内で定められている、請求項１〜４のいずれかに記載の住宅構造。
【請求項６】
前記低位置床面の面積は、２畳以上である、請求項１〜５のいずれかに記載の住宅構造。
【請求項７】
前記低位置床面の外縁に沿って配置された棚をさらに備え、
前記棚の高さは、前記家屋床面の高さと略同一である、請求項１〜６のいずれかに記載の住宅構造。
【請求項８】
前記低位置床面に配置されるソファをさらに備え、
前記ソファの座面の高さは、前記家屋床面の高さと略同一である、請求項１〜７のいずれかに記載の住宅構造。
【発明の詳細な説明】
【技術分野】
【０００１】
本発明は、１または複数階建ての住宅の構造に関する。
【背景技術】
【０００２】
従来より、隣り合う居室の床面の高さを異ならせた住宅が提案されている。
【０００３】
たとえば、特開２０１１−１４４５８６号公報（特許文献１）には、防音室の床面が隣室の床面の高さよりも低くされた建物が開示されている。特開平１１−１０７５１１号公報（特許文献２）には、カーポート上方の住宅空間の床を通常の基準高さの階上床面よりも低くした住宅が開示されている。
【先行技術文献】
【特許文献】
【０００４】
【特許文献１】特開２０１１−１４４５８６号公報
【特許文献２】特開平１１−１０７５１１号公報
【発明の概要】
【発明が解決しようとする課題】
【０００５】
特許文献１の住宅は、防音空間を形成するために、周囲が仕切り壁によって囲まれた上で、その床面が１階の基準床面（家屋床面）よりも低い位置に設けられたものである。
【０００６】
また、特許文献２の住宅では、特殊な建物の構造を利用して、上階において、隣り合う居室の床面の高さを異ならせているに過ぎない。
【０００７】
本発明は、上記のような課題を解決するためになされたものであって、その目的は、住人が寛げる居住空間を有する住宅構造を提供することである。
【課題を解決するための手段】
【０００８】
この発明のある局面に従う住宅構造は、家屋床面と、家屋床面に隣接し、家屋床面よりも低い位置で居住空間を形成するための低位置床面とを備える。
【０００９】
好ましくは、低位置床面の周囲を取り囲むように、家屋床面が設けられる。
【００１０】
好ましくは、屋内と屋外とを仕切る仕切り面が、低位置床面の縁部に沿って設けられ、仕切り面は、その下縁が家屋床面の高さに位置する窓を有している。
【００１１】
この場合、仕切り面の屋外側には、テラス部が設けられていてもよい。
【００１２】
好ましくは、家屋床面と低位置床面との高低差は、２５ｃｍ〜４５ｃｍの範囲内で定められている。
【００１３】
好ましくは、低位置床面の面積は、２畳以上である。
【００１４】
好ましくは、低位置床面の外縁に沿って配置された棚をさらに備え、棚の高さは、家屋床面の高さと略同一である。
【００１５】
好ましくは、低位置床面に配置されるソファをさらに備え、ソファの座面の高さは、家屋床面の高さと略同一である。
【発明の効果】
【００１６】
本発明によれば、住人が寛げる居住空間を有する住宅構造を提供することができる。
【図面の簡単な説明】
【００１７】
【図１】本発明の実施の形態１における住宅の１階部分における構造を模式的に示す模式断面図である。
【図２】本発明の実施の形態１に係る住宅の構造を部分的に示す模式斜視図である。
【図３】本発明の実施の形態２に係る住宅の構造を部分的に示す模式斜視図である。
【図４】本発明の実施の形態３に係る住宅の構造を部分的に示す模式斜視図である。
【図５】一般的な住宅での断熱工法を説明するための模式断面図である。
【発明を実施するための形態】
【００１８】
本発明の実施の形態について図面を参照しながら詳細に説明する。なお、図中同一または相当部分には同一符号を付してその説明は繰返さない。
【００１９】
＜実施の形態１＞
はじめに、図１および図５を参照して、本実施の形態に係る住宅の、工法上の特徴について説明する。
【００２０】
図１は、本発明の実施の形態１における住宅１の１階部分における構造を模式的に示す模式断面図であり、図１には、住宅１での断熱工法の特徴が模式的に示されている。図５は、一般的な住宅１００での断熱工法を説明するための模式断面図である。住宅１，１００は、いずれも、カーポートを有するなどの特殊な構造の建物ではなく、通常の１または複数階建ての建物である。
【００２１】
図５に示されるように、一般的な住宅１００では、断熱材１４は、外壁１２には設けられるが、基礎１０１の部分には設けられていない。したがって、床部１３０の床パネル１３１に断熱材１３３が設けられ、その上部が仕上材１３２で覆われている。このような断熱工法を採用する住宅１００では、基礎１０１と外壁１２の下端との間に、床下換気のための換気口１０１ａが設けられる。したがって、このような住宅１００では、床部１３０の下方空間（床下空間）は、地面からの冷たい冷気が伝わるため、収納として利用されるに留っている。
【００２２】
これに対し、図１を参照して、本実施の形態に係る住宅１は、断熱材１４が、外壁１２だけでなく基礎１１の立ち上がり部分にまで配置されている。この場合、床下空間も断熱されるため、床部１３自体に断熱材を設ける必要がない。そこで、本実施の形態では、床下空間をも居住空間として利用する。
【００２３】
本実施の形態において、「居住空間」とは、日々の生活において、その床面に座ったり寝転んだりできる屋内空間を表わし、「居住空間」には、防音室における防音空間、収納空間およびサニタリー空間が含まれないものとする。したがって、本実施の形態における「居住空間」は、「居間空間」や「寛ぎ空間」を意味している。
【００２４】
なお、住宅１の断熱工法としては、具体的には「外張り基礎断熱工法」が採用されることが望ましい。この場合、基礎１１および外壁１２の断熱材１４の外側は、遮熱透湿防水シートで覆われ、かつ、図示しない天井部も、遮熱フィルム付の断熱材で覆われる。このような構造とすることで、住宅１内に侵入する輻射熱が遮られるため、住宅１の遮熱効果が高められる。
【００２５】
以下に、図１および図２を参照して、このような住宅１における居住空間の構成例について詳細に説明する。図２は、本発明の実施の形態１に係る住宅１の構造を部分的に示す模式斜視図である。
【００２６】
図１および図２を参照して、住宅１は、その１階部分において、家屋床面２と低位置床面３とを備えている。家屋床面２は、１階部分の通常の床の高さを有する床面であり、１階の基準床面である。家屋床面２は、典型的には、基礎１１の上端よりも少し高い位置に配置される。
【００２７】
低位置床面３は、家屋床面２に隣接し、家屋床面２よりも低い位置にある。低位置床面３を底部とする空間３０が、居住空間を形成している。以下、この空間３０を、低位置空間３０という。低位置床面３は、たとえば矩形形状である。この場合、低位置空間３０は、低位置床面３の外縁から垂直方向に立ち上がる、４つの側壁３１，３２，３３，３４を有している。
【００２８】
図２に示されるように、家屋床面２は、低位置床面３の周囲を取り囲むように設けられている。つまり、本実施の形態では、低位置床面３の全側壁３１〜３４に隣接して、家屋床面２が設けられている。本実施の形態において、「隣接して」とは、外壁や間仕切りなどの仕切り壁を介さずに隣り合うことをいう。この場合、家屋床面２は、典型的には低位置空間３０と同じ部屋（たとえばリビング）内の床面である。
【００２９】
ここで、家屋床面２と低位置床面３との高低差Ｈは、成人が低位置床面３に足裏を付けて家屋床面２に容易に腰かけることのできる値とされていることが望ましい。具体的には、高低差Ｈは、たとえば２５ｃｍ〜４５ｃｍの範囲内で定められており、本実施の形態では、略３２．５ｃｍとされている。低位置床面３の面積は、低位置床面３上に、成人が容易に寝転がることのできる値とされていることが望ましい。具体的には、その面積は、２畳以上であって３．３０ｍ２以上であることが望ましい。これらの条件を満たす低位置床面３を備えることで、低位置空間３０を寛げる居住空間とすることができる。なお、低位置床面３は広すぎると逆に安心感をもたらさなくなるため、低位置床面３は、同一フロアにおいて、その占める割合がたとえば２／３以下となる値とされることが望ましい。
【００３０】
このように、屋内空間の一部の床面を掘り下げて低位置床面３を形成しても、本実施の形態では、図１に示したような断熱工法が採用されているため、低位置床面３上に居ても底冷えが生じない。そのため、住人は、低位置床面３上に座って読書したり、寝転んだりして寛ぐことができる。低位置床面３に、素肌に優しい絨毯６（図３）が敷き詰められていれば、さらに快適に過ごすことができる。
【００３１】
また、低位置空間３０内に居るときは、家屋床面２との高低差分の側壁３１〜３４によって緩く囲まれるだけであり、かつ、天井部分を高く感じることができるため、安心感および開放感がもたらされる。したがって、本実施の形態によれば、低位置空間３０を、心地の良い、落ち着ける空間とすることができる。
【００３２】
なお、本実施の形態では、低位置床面３は１階部分に設けられることとしたが、２階部分に設けられてもよい。
【００３３】
＜実施の形態２＞
本実施の形態では、低位置空間の他の構成例について説明する。なお、本実施の形態の住宅においても、図１に示したような断熱工法が採用されているものとする。以下に、実施の形態１との相違点のみ詳細に説明する。
【００３４】
図３は、本発明の実施の形態２に係る住宅の構造を部分的に示す模式斜視図である。図３を参照して、本実施の形態では、低位置床面３には、絨毯６が敷き詰められている。また、低位置床面３の外縁に沿って、棚７が配置されている。棚７は、たとえば隣接する２つの側壁３１，３２に沿って配置されている。このような配置とすることで、住人は、必要なものに囲まれ、低位置空間３０Ａにおいて快適に過ごすことができる。なお、棚７は、１つの側壁のみに沿って配置されていてもよいし、４つの側壁３１〜３４全てに沿って配置されていてもよい。ただし、後者の場合でも、家屋床面２との間の昇降をし易くするために、少なくともいずれか１つの側壁には棚７が設けられていない部分が残されていることが望ましい。
【００３５】
本実施の形態において、棚７の高さは、家屋床面２の高さと略同一とされている。したがって、棚７を椅子代わりとすることもでき、様々な姿勢で寛ぐことが可能となる。また、棚７が家屋床面２より出っ張らないため、屋内空間全体を広くスッキリと見せることができる。
【００３６】
＜実施の形態３＞
本実施の形態では、低位置空間のさらに他の構成例について説明する。なお、本実施の形態の住宅においても、図１に示したような断熱工法が採用されているものとする。以下に、実施の形態１との相違点のみ詳細に説明する。
【００３７】
図４は、本発明の実施の形態３に係る住宅の構造を部分的に示す模式斜視図である。図４を参照して、本実施の形態では、屋内と屋外とを仕切る仕切り面４が、低位置床面３の縁部に沿って設けられる。具体的には、低位置床面３の２つの側壁３１，３２側に仕切り面４が設けられている。この場合、側壁３１，３２は、仕切り面４の一部とされる。仕切り面４における、側壁３１，３２よりも上方の部分は、外壁１２（図１）の内壁面である。なお、本実施の形態では２つの側壁３１，３２側に仕切り面４が設けられることとしたが、１つの側壁側にのみ仕切り面が設けられていてもよい。
【００３８】
仕切り面４には、その下縁が家屋床面２の高さに位置する窓４１が形成されていることが望ましい。この場合、低位置床面３に座って、または寝転がっている住人からは、窓４１越しに虫や小動物の目線で屋外の風景を楽しむことができる。また、窓４１を低い位置に形成することで、屋外に立っている人からは屋内の様子を見難くすることもできる。この場合、家屋床面２から窓４１の上端までの高さは、たとえば１３０ｃｍ以下とすることが望ましい。なお、窓４１は、低位置床面３の部分だけでなく、家屋床面２の部分にまで横方向に延びて形成されていてもよい。
【００３９】
また、窓４１が形成されている仕切り面４１の屋外側には、家屋床面２と略同一高さの床面を有するテラス部５が配置されていてもよい。このようにすることで、窓４１を挟んでいても、実施の形態１と同様に、低位置空間３０Ｂを周囲の面よりも一段沈み込んだ空間として演出することができる。また、窓４１が開閉可能な場合、低位置床面２に足裏を付けてテラス部５に腰かけることもできる。このような場合、屋内と屋外との境で、両方の景色を楽しみながら寛ぐこともできる。なお、本実施の形態において、テラス部５とは、１階の屋外に形成されるテラスに限定されず、屋外において人が歩いたり座ったりできる場所として形成される部分を表わす。したがって、低位置床面３がたとえば２階などの上階に形成された場合には、テラス部５はベランダを示す。また、本実施の形態では、テラス部５の上面と家屋床面２との高さは略同一であるとしたが、限定的ではない。
【００４０】
本実施の形態において、仕切り面４が配置されていない他の２側壁３３，３４側に、間仕切り壁（図示せず）が配置されていてもよい。つまり、図４に示す２つの隣り合う仕切り面４の仮想線４ａそれぞれ、または一方において、仕切り面４と交わる間仕切り壁が配置されていてもよい。間仕切り壁には、出入りのためのドアが含まれていてもよい。間仕切り壁が側壁３３，３４の両方に配置される場合、間仕切り壁同士は交わらないようにしてもよい。
【００４１】
この場合、低位置床面３には、たとえば間仕切り壁が背面側となるように、ソファ８が配置されてもよい。低位置床面３が、家屋床面２よりも所定値（たとえば３５ｃｍ）分低いため、ソファ８の座面８ａの高さを、家屋床面２の高さと略同一とすることができる。したがって、同じ低位置空間３０Ｂ内であっても、低位置床面３上に座った場合と、ソファ８の座面８ａに座った場合とで、屋外および屋内の様子を異なる目線で感じ取ることができる。なお、ソファ８は、窓４１が背面側となるように配置されてもよいし、低位置空間３０Ｂの側壁の上方が開放された位置に配置されてもよい。
【００４２】
以上説明した各実施の形態によれば、少なくとも一部が家屋床面２と隣接する低位置床面３が設けられる。これにより、周囲よりも沈み込んだ位置に座ったり寝転んだりすることができるため、その低位置空間を寛ぎの空間として演出することができる。また、側壁の上方は、全て開放されていたり、窓が配置されたりすることで、低位置空間は緩く囲われる。そのため、開放感と安心感が生じ、低位置空間を屋内におけるバッファーゾーン（緩衝地帯）として機能させることもできる。したがって、低位置空間３０を、乳幼児のための安全なプレイスペースや育児スペースとして使用することもできる。
【００４３】
なお、上記実施の形態２および３に示した低位置空間の構成を組み合わせてもよい。たとえば、実施の形態３の低位置空間３０Ｂにおいて、仕切り面４の下方に、実施の形態２で示した棚７が設けられてもよい。つまり、図４に示した低位置空間３０Ｂにおける側面３１，３２の一方または両方に沿って、図３に示したような棚７が設けられてもよい。この場合、棚７の高さを家屋床面２よりも高くして、窓４１の下端を棚７の上面と一致させてもよい。
【００４４】
また、低位置床面３は矩形形状であることとしたが、限定的ではなく、たとえば楕円形状であってもよい。また、低位置床面３の側壁３１〜３４は、低位置床面３と直交するように設けられることとしたたが、全ての側壁３１〜３４またはその一部が、低位置床面３に対して傾斜して設けられてもよい。この場合、低位置床面３との傾斜角度をたとえば１００°〜１２０°程度の鈍角とすることで、側壁を背もたれとして利用することもできる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４６】
１，１００  住宅、２  家屋床面、３  低位置床面、４  仕切り面、５  テラス部、６  絨毯、７  棚、８  ソファ、１１，１０１  基礎、１２  外壁、１３，１３０  床部、１４，１３３  断熱材、３０  低位置空間（居住空間）、３１，３２，３３，３４  側壁、４１  窓、１０１ａ  換気口。
【図１】
2014190029.tif 000003
【図２】
2014190029.tif 000004
【図３】
2014190029.tif 000005
【図４】
2014190029.tif 000006
【図５】
2014190029.tif 000007